(57)【特許請求の範囲】
【請求項１】
少なくとも左上部、左下部、右上部、右下部の各位置に１つづつ配置され、周面に塗装処理が施された複数の押し釦と、
前記左上部の押し釦と前記右下部の押し釦の対向する角部を連結して前記左上部の押し釦と前記右下部の押し釦と共に一体に形成されている第１連結部と、
前記右上部の押し釦と前記左下部の押し釦の対向する角部を連結して前記右上部の押し釦と前記左下部の押し釦と共に一体に形成されている第２連結部とを備え、
前記第１連結部および前記第２連結部のうちの一方が湾曲し、前記第１連結部と前記第２連結部とを上下で交差させて設けられたことを特徴とする電子機器の押し釦装置。
【発明の詳細な説明】
【０００１】
【発明の属する技術分野】
本発明は、例えばカーオーディオ製品等の電子機器の操作面に取り付けられる電子機器の押し釦装置に関するものである。
【０００２】
【従来の技術】
一般に、テレビチューナや、ラジオチューナ、ＣＤカセットプレーヤ、テープカセットプレーヤが内蔵されているカーオーディオ・ビジュアル機器等の電子機器においては、その操作面に各種の操作キーが複数設けられている。また、これらの電子機器では小型化が要求されており、特にカーオーディオ製品等では、その要求も厳しい。したがって、今日のカーオーディオ・ビジュアル機器では、如何にして小型化を図るかが一つの課題になっている。
【０００３】
図１３は従来のカーオーディオ・ビジュアル機器における操作面の一構成例を示すものである。このカーオーディオ・ビジュアル機器は、カーナビゲーションの機能に加えて、テレビチューナ、ラジオチューナ、ＣＤカセットプレーヤ、テープカセットプレーヤの機能が内蔵されており、機能の切り換えを操作面となる前面パネル５１に設けた各種の操作部材で操作することができるようになっている。
【０００４】
また、上記前面パネル５１には、ナビゲーション態様で使用するジョイスティックツマミ５３や現在地・再音声押し釦５４の他に、ボリュームツマミ５２、チューニング押し釦５５、テレビ受信態様に切り換える押し釦５６、ＡＭ・ＦＭ放送受信態様に切り換える押し釦５７、ＣＤ再生態様に切り換える押し釦５８、テープ再生態様に切り換える押し釦５９等が配設されている。その押し釦５６〜５９は、本発明で対象とするものであって、従来では一般に各々独立して形成されている。
【０００５】
そこで、押し釦５６〜５９について図１４及び図１５を加えてさらに詳しく説明する。図１４は押し釦５６〜５９の配置構成図で、図１５は前面パネル５１の概略構成図である。図１３乃至図１５において、各々独立して作られている４つの押し釦５６〜５９が配置される前面パネル５１には、その押し釦５６〜５９におけるキートップ部５６ａ〜５９ａが貫通される４つの開口６０ａ，６０ｂ，６０ｃ，６０ｄが田の字状に点在されて作られている。これに対して、各押し釦５６〜５９は、対応している開口６０ａ〜６０ｄに対して前面パネル５１の背面側から、その背面に基部５６ｂ〜５９ｂが突き当たって規制されるまでキートップ部５６ａ〜５９ａを挿入させて取り付けられている。また、前面パネル５１の内側において、押し釦５６〜５９の下側には、図示しないがスイッチ要素が配置され、押し釦５６〜５９の何れかを押下すると、その押下された押し釦５６〜５９に対応しているスイッチ要素が操作される構造になっている。
【０００６】
【発明が解決しようとする課題】
上述した従来における電子機器の押し釦装置、すなわち前面パネル５１に田の字状に点在させて作られている開口６０ａ〜６０ｄにそれぞれ配置されている４つの押し釦５６〜５９は、各々１つづつに独立した押し釦として作られており、それが１つづつ順に組み込まれる構成になっている。このため、組み付け部品点数及び組立工数が多く、コストアップの原因になっていた。
【０００７】
また、従来の押し釦装置において、１つづつに独立した押し釦として作っている理由には、塗装処理の問題があった。すなわち、この種の押し釦では、キートップ部５６ａ〜５９ａ上の文字・図形等が描かれる部分（本例では符号６１ａ〜６１ｄで示す部分）を除いて、他の外周面を塗装して装飾している。そこで、例えば上下（押し釦５６と押し釦５８、押し釦５７と押し釦５９）あるいは左右の押し釦釦（押し釦５６と押し釦５７、押し釦５８と押し釦５９）との間に連結部等を設けて一体的に形成した場合、各押し釦との間の隙間σ１，σ２（図１４参照）が小さくなる。その隙間σ１，σ２が小さい状態で、吹き付け塗装等を行った場合、隙間σ１，σ２の間では塗料が均一に吹き込まれずに塗装ムラができ、品質が低下し、また歩留まりが悪いという問題が発生する。このような理由から従来では１つづつ独立した押し釦として形成し、それに吹き付け塗装等を行うようにしている。
【０００８】
本発明はこのような問題を解決するためになされたもので、その目的は複数の押し釦を一体化して取り扱うことができる構造にして、部品点数及び組立工数を減らすことができる構造にした電子機器の押し釦装置を提供するものである。
【０００９】
本発明の他の目的は、複数の押し釦を一体化した構造にしても吹き付け塗装ムラ等を無くすことができる構造にした電子機器の押し釦装置を提供するものである。
【００１０】
【課題を解決するための手段】
本発明は、周面に塗装処理が施された複数の押し釦と、前記複数の押し釦のうちの１つと前記複数の押し釦のうちの他の１つとを連結する連結部とを備え、前記連結部は前記連結部に連結されるそれぞれの前記押し釦の角部において前記複数の押し釦を連結した構成を有している。この構成では、一体化されている押し釦同志で、隙間となっている部分は角部だけであり、隙間を形成している部分の面積が極めて小さくなり、面積も小さいので、押し釦と押し釦が連なった状態にあっても塗装処理をする場合に塗料はその隙間内に入り易く、塗装をムラを作ることなく、塗装処理を低下させることの無い、複数の押し釦が連なった状態の押し釦を作ることができ、この連なった状態の押し釦を機器側に組み込むことができるので、組立作業性を向上させることができることとなる。
【００１１】
本発明は、電子機器の押し釦装置において、前記複数の押し釦は少なくとも左上部、左下部、右上部、右下部の各位置に１つづつ配置され、前記左上部の押し釦と前記右下部の押し釦の対向する角部を連結して前記左上部の押し釦と前記右下部の押し釦と共に一体に形成されている第１連結部と、前記右上部の押し釦と前記左下部の押し釦の対向する角部を連結して前記右上部の押し釦と前記左下部の押し釦と共に一体に形成されている第２連結部とを備えた構成としたものである。この構成によれば、２つの押し釦の対角部分を第１または第２の連結部で連結して一体化しているので、その一体化されている押し釦同志で、隙間を形成している部分の面積が極めて小さくなる。これにより、例えば各押し釦の外側表面に吹き付け塗装等を行う場合でも、隙間となっている部分は角の部分だけで面積も小さいので塗料はその隙間内に入り易く、塗装をムラ無く行うことができる。
【００１２】
本発明は、電子機器の押し釦装置において、前記第１連結部および前記第２連結部のうちの一方が湾曲し、前記第１連結部と前記第２連結部とを上下で交差させて設けた構成としたものである。この構成によれば、第１連結部と第２連結部を上下で交差させて設けることにより、少なくとも４つの押し釦の上下及び左右の隙間を狭め、密度を高めて組み込むことができる。これにより、小型の押し釦装置の実現が図れ、電子機器の小型化に寄与することとなる。
【００１３】
【発明の実施の形態】
以下、本発明の実施の形態について、図面を用いて説明する。図１は本発明の一実施の形態として示すもので、カーオーディオ・ビジュアル機器における操作面の一構成図である。図１において、このカーオーディオ・ビジュアル機器は、カーナビゲーションの機能に加えて、テレビチューナ、ラジオチューナ、ＣＤカセットプレーヤ、テープカセットプレーヤの機能が内蔵されており、機能の切り換えを操作面となる前面パネル１に設けた各種の操作部材によりそれぞれ操作することができるようになっている。すなわち、前面パネル１には、ナビゲーション態様で使用するジョイスティックツマミ３、現在地・再音声押し釦４の他に、ボリュームツマミ２、チューニング押し釦５、テレビ受信態様に切り換える押し釦６、ＡＭ・ＦＭ放送受信態様に切り換える押し釦７、ＣＤ再生態様に切り換える押し釦８、テープ再生態様に切り換える押し釦９等が配設されている。その押し釦６〜９は、本発明で対象としている押し釦装置を構成しているもので、従来装置の押し釦では１つづつに独立して設けられていたのに対して、本実施の形態の構造では、２つの押し釦６と押し釦９、及び押し釦７と押し釦８がそれぞれ対をなして各々一体に形成された構造にしている。
【００１４】
そこで、押し釦６〜９について図２乃至図４を加えてさらに詳しく説明する。図２は押し釦６〜９の配置構成図で、図３は前面パネルの概略構成図、図４は図２のＡ−Ａ線断面矢視図である。図１乃至図４において、４つの押し釦６〜９が配置される前面パネル１には、その押し釦６〜９におけるキートップ部６ａ〜９ａが貫通される４つの開口１０ａ，１０ｂ，１０ｃ，１０ｄが田の字状に点在されて作られている（図３参照）。これに対して、各押し釦６〜９は、対応している開口１０ａ〜１０ｄに対して前面パネル１の背面側から、その背面に基部６ｂ〜９ｂが突き当たって規制されるまでキートップ部６ａ〜９ａを挿入させて取り付けられている。また、前面パネル１の内側において、押し釦６〜９の下側には、図示しないがそれぞれの押し釦６〜９に対応しているスイッチ要素を持つメンブレーンスイッチが配置されている。そして、押し釦６〜９の何れかを押下すると、その押下された押し釦６〜９に対応しているスイッチ要素が、押し釦６〜９の下面から真っ直ぐ下側に向かってそれぞれ突出されているピン６ｃ〜９ｃを介して押下され、この押下よりスイッチ要素が切り換え操作される。また、押下力が取り除かれると、押し釦６〜９はスイッチ要素の反発力で押し上げられ、スイッチ復帰するように構成されている。
【００１５】
また、上記４つの押し釦６〜９のうち、互いに同じ対角線上に配置されている２の押し釦６と押し釦９は第１連結部１１を介して連結されて一体化されているとともに、押し釦７と押し釦８は第２連結部１２を介して連結されて一体化されている。
【００１６】
その押し釦６と押し釦９は第１連結部１１を間に設けて樹脂材で一体に形成されており、その構成は図５乃至図８に示している。図５乃至図８を用いて押し釦６と押し釦９及び第１連結部１１の構成をさらに説明すると、押し釦６と押し釦９は、前面パネル１の開口１０ａ及び開口１０ｄに挿入されるキートップ部６ａ，９ａと、このキートップ部６ａ，９ａよりも外形が大きく、前面パネル１の裏面側に配置される基部６ｂ，９ｂをそれぞれ一体に有し、第１連結部１１は基部６ｂの角部と、この角部と対向している基部９ｂの角部を結んだ状態にして形成されている。また、キートップ部６ａ，９ａのトップ面の一部１３ａ，１３ｄを除いた他の部分の周面には吹き付け塗装が行われて装飾されている。なお、この塗装処理は、押し釦６及び押し釦９が前面パネル１に組み込まれる前に行われるが、押し釦６及び押し釦９が第１連結部１１によって対角部分で連結されているので、その一体化されている押し釦（６，９）同志で、隙間σ３を作っている部分の面積が極めて小さい。すなわち、隙間となっている部分は角だけであり、面積も小さいので、押し釦６と押し釦９が連なった状態にあっても塗装処理をする場合に塗料はその隙間σ３内に入り易く、塗装をムラを作ることなく、処理することができる。なお、押し釦６の部分１３ａにはテレビ受信態様に切り換えるための押し釦を意味する「ＴＶ」の文字がレーザートリミングされ、押し釦９の部分１３ｄにはカセットテープ再生態様に切り換えるための釦を意味する「ＴＡＰＥ」の文字がレーザートリミングされている。
【００１７】
一方、押し釦７と押し釦８は第２連結部１２を間に設けて樹脂材で一体に形成されており、その構成は図９乃至図１２に示している。図９乃至図１２を用いて押し釦７と押し釦８及び第２連結部１２の構成をさらに説明すると、押し釦７と押し釦８は、前面パネル１の開口１０ｂ及び開口１０ｃに挿入されるキートップ部７ａ，８ａと、このキートップ部７ａ，８ａよりも外形が大きく、前面パネル１の裏面側に配置される基部７ｂ，８ｂをそれぞれ一体に有し、第２連結部１２は基部７ｂの角部と、この角部と対向している基部８ｂの角部を結んだ状態にして形成されている。また、キートップ部７ａ，８ａのトップ面の一部１３ｂ，１３ｃを除いた他の部分の周面には吹き付け塗装が行われて装飾されている。なお、この塗装処理は、押し釦６及び押し釦９と同様に、押し釦７及び押し釦８が前面パネル１に組み込まれる前に行われるが、押し釦７及び押し釦８が第２連結部１２によって対角部分で連結されているので、その一体化されている押し釦（７，８）同志で、隙間σ３を作っている部分の面積が極めて小さい。すなわち、隙間となっている部分は角だけであり、面積も小さいので、押し釦７と押し釦８が連なった状態にあっても塗装処理をする場合に塗料はその隙間σ３内に入り易く、塗装をムラを作ることなく、処理することができる。なお、押し釦７の部分１３ｂにはＡＭ・ＦＭラジオ受信態様に切り換えるための押し釦を意味する「ＡＭ・ＦＭ」の文字がレーザートリミングされ、押し釦８の部分１３ｃにはコンパクトディスク再生態様に切り換えるための釦を意味する「ＤＩＳＣ」の文字がレーザートリミングされている。また、第２連結部１２は、後述するようにして各押し釦６〜９を組み合わさせるのに、第１連結部１１と第２連結部１２を上下方向に重ねて交差させたとき、図４で示している如く、第１連結部１１と第２連結部１２が干渉し合うことなく、４つの押し釦６〜９を同一平面上に配置することができるように、第２連結部１２は下側に湾曲され、この湾曲により第１連結部１１が配置されるのに十分なスペース１４を確保した構造になっている。
【００１８】
このように構成された押し釦６〜９は組み立てる場合、まず第１連結部１１と第２連結部１２を上下の位置（本実施の形態では第２連結部１２が下側で第１連結部１１が上側となるようにしてスペース１４内に第１連結部を配置する）で交差させ、図２中において、左上部の位置に押し釦６、右下部の位置に押し釦９、右上部の位置に押し釦７、左下部の位置に押し釦８がそれぞれ配置された状態に組み合わせる。続いて、さらに開口１０ａに押し釦６のキートップ部６ａ、開口１０ｂに押し釦７のキートップ部７ａ、開口１０ｃに押し釦８のキートップ部８ａ、開口１０ｄに押し釦９のキートップ部９ａをそれぞれ挿入させるようにして、前面パネル１を取り付けると組み立てが終了する。そして、このように構成された押し釦装置では、各押し釦６〜９を押下すると、その押し釦６〜９に対応しているスイッチ要素が切り換え操作される。また、第１連結部１１と第２連結部１２は、押下操作が行われている各押し釦６〜９のヒンジとして機能する。
【００１９】
以上のように、この実施の形態における装置では、押し釦（左上部の押し釦）６と押し釦（右下部の押し釦）９を、この押し釦（左上部の押し釦）６と押し釦（右下部の押し釦）９の対角部分を結ぶ第１連結部１１で連結するとともに、押し釦（右上部の押し釦）７と押し釦（左下部の押し釦）８を、この押し釦（右上部の押し釦）７と押し釦（左下部の押し釦）８の対角部分を結ぶ第２連結部１２で連結させているので、隣り合って対向している押し釦同志の面積が極めて小さくなる。これにより、外側表面に吹き付け塗装等を行う場合に、隙間σ３となっている部分は角部だけで面積も小さいので、塗料はその隙間内に入り易く、塗装をムラ無く行うことができる。また、複数の押し釦（６と９、７と８）が連なった状態の押し釦を作ることができ、その連なった状態にある２つの押し釦を同時に機器側に組み込むことができるので、部品点数及び組立工数の削減が図れ、コスト低減に寄与することができる。さらに、密度を高めて組み込むことも可能になり、より小型化された押し釦装置を実現することができる。また、さらに第１連結部１１と第２連結部１２がヒンジを兼ねるので、別にヒンジを設ける必要も無くなり、部品点数をさらに減らすことができる。
【００２０】
なお、上記実施の形態では２つ押し釦を連結してなる構造を開示したが、２つ以上の押し釦を連結した構造であっても同様にして適用できるものである。また、カーオーディオビジュアル機器の操作面に設けた場合について説明したが、電子機器一般の押し釦装置としても使用できるものである。以上説明したように、本発明の電子機器の押し釦装置は、左上部の押し釦の対角部分と右下部の押し釦の対角部分を第１連結部で連結して一体化しているとともに、右上部の押し釦の対角部分と左下部の押し釦の対角部分を第２連結部で連結して一体化しているので、その一体化されている押し釦同志で、隙間を形成している部分の面積が極めて小さくなる。これにより、例えば各押し釦の外側表面に吹き付け塗装等を行う場合でも、隙間となっている部分は角部だけで、その面積も小さいので塗料はその隙間内に入り易く、塗装をムラ無く行うことができる。すなわち、塗装処理を低下させることの無い、複数の押し釦が連なった状態の押し釦を作ることができ、この連なった状態の押し釦を機器側に組み込むことができるので、組立作業性を向上させることができる。隣り合って対向している押し釦同志の面積が極めて小さくなる。これにより、各押し釦の外側表面に吹き付け塗装等を行う場合に、隣り合っている押し釦同志が邪魔をすることなくムラ無く塗布され、きれいな塗布処理を行うことができる。また、２つの押し釦（左上部の押し釦と右下部の押し釦、及び右上部の押し釦と左下部の押し釦）を一体的に組立処理することができるので、部品点数の削減に加えて組立工数も減り、コスト低減に寄与するとともに、密度を高めて組み込むことができ、より小型化された押し釦装置を実現することができる。さらに、第１連結部及び第２連結部がヒンジを兼ねるので、別にヒンジを設ける必要も無くなり、さらに部品点数を減らすことができる。
【００２１】
【発明の効果】
以上説明したように、本発明の電子機器の押し釦装置は、上記実施の形態より明らかなように、一体化されている押し釦同志で、隙間となっている部分は角部だけであり、隙間を形成している部分の面積が極めて小さくなり、面積も小さいので、押し釦と押し釦が連なった状態にあっても塗装処理をする場合に塗料はその隙間内に入り易く、塗装をムラを作ることなく、塗装処理を低下させることの無い、複数の押し釦が連なった状態の押し釦を作ることができ、この連なった状態の押し釦を機器側に組み込むことができるので、組立作業性を向上させるとともに、第１連結部と第２連結部を上下で交差させて設けることにより、少なくとも４つの押し釦の上下及び左右の隙間を狭め、密度を高めて組み込むことができ、小型の押し釦装置の実現が図れ、電子機器の小型化に寄与することができる。
【図面の簡単な説明】
【図１】本発明の一実施の形態として示すカーオーディオ・ビジュアル機器の概略構成図
【図２】本実施の形態における要部押し釦の配置構成図
【図３】本実施の形態における前面パネルの概略構成図
【図４】図２のＡ−Ａ線断面矢視図
【図５】本実施の形態における要部押し釦の平面図
【図６】図５に示す押し釦の側面図
【図７】図５に示す押し釦の底面図
【図８】図７のＢ−Ｂ線断面矢視図
【図９】本実施の形態における要部押し釦の平面図
【図１０】図９に示す押し釦の側面図
【図１１】図５に示す押し釦の底面図
【図１２】図１１のＣ−Ｃ線断面矢視図
【図１３】従来の押し釦装置の一例として示すカーオーディオ・ビジュアル機器の概略構成図
【図１４】従来の押し釦装置における要部押し釦の配置構成図
【図１５】従来の押し釦装置における前面パネルの概略構成図
【符号の説明】
１  前面パネル
２  ボリュームツマミ
３  ジョイスティックツマミ
４  現在地・再音声押し釦
５  チューニング押し釦
６  押し釦
６ａ  キートップ部
６ｂ  基部
６ｃ  ピン
７  押し釦
７ａ  キートップ部
７ｂ  基部
７ｃ  ピン
８  押し釦
８ａ  キートップ部
８ｂ  基部
８ｃ  ピン
９  押し釦
９ａ  キートップ部
９ｂ  基部
９ｃ  ピン
１０ａ〜１０ｄ  開口
１１  第１連結部
１２  第２連結部
【図１】
0003933824.tif 000002
【図２】
0003933824.tif 000003
【図３】
0003933824.tif 000004
【図４】
0003933824.tif 000005
【図５】
0003933824.tif 000006
【図６】
0003933824.tif 000007
【図７】
0003933824.tif 000008
【図８】
0003933824.tif 000009
【図９】
0003933824.tif 000010
【図１０】
0003933824.tif 000011
【図１１】
0003933824.tif 000012
【図１２】
0003933824.tif 000013
【図１３】
0003933824.tif 000014
【図１４】
0003933824.tif 000015
【図１５】
0003933824.tif 000016